(57)【要約】【課題】  防水性能が高められたレンズ組立体および撮像装置を提供する。【解決手段】  撮影レンズ１１＿１の、平滑加工された結像側の第２の外周面１１＿１ｂに、Ｏリング１２を配置し、レンズ枠１３の内壁面１３ａでＯリング１２を、第２の外周面１１＿１ｂ側に押圧する。【選択図】  図１
2009244385.tif 000002
【特許請求の範囲】
【請求項１】
対物側の第１の外周面と該第１の外周面との間に壁面を介在させて該第１の外周面よりも一段小径に形成された結像側の第２の外周面とを有するレンズと、
前記レンズの前記第２の外周面に配置されたＯリングと、
前記第１の外周面に接するとともに、前記第２の外周面に配置されたＯリングを該第２の外周面側に押圧する内壁面を有するレンズ枠とを備え、
前記レンズは、前記第２の外周面が、前記第１の外周面または前記壁面よりも平滑化されてなることを特徴とするレンズ組立体。
【請求項２】
前記第２の外周面は、平滑加工されたものであることを特徴とする請求項１記載のレンズ組立体。
【請求項３】
前記第２の外周面は、塗料の塗布により平滑化されたものであることを特徴とする請求項２記載のレンズ組立体。
【請求項４】
前記レンズ枠が、該レンズ枠内壁面の、前記第１の外周面および前記Ｏリングと接する部分に、潤滑塗料が塗布されてなるものであることを特徴とする請求項１から３のうちのいずれか１記載のレンズ組立体。
【請求項５】
請求項１から４のうちいずれか１項記載のレンズ組立体と、撮像素子とを備えたことを特徴とする撮像装置。
【発明の詳細な説明】
【技術分野】
【０００１】
本発明は、撮像素子上に被写体光を結像させるレンズが組み込まれたレンズ組立体、およびそのレンズ組立体を備えた撮像装置に関する。
【背景技術】
【０００２】
最近、自動車にカメラが配備されるようになってきている。自動車に配備されるカメラは監視用として用いられるものであったり、運転アシスト用に用いられるものであったりする。後者の方は、ナビゲーションシステムが普及し運転席に表示画面が設けられたことを利用して、その表示画面上にカメラで撮影した画像を表示しようというものである。
【０００３】
この様な車載用のカメラにあっては、主に車外で用いられるので防水性が要求されるものが多く、その要求に応えてカメラを大型化させずに充分な防水性を実現するために、小型で優れた防水性能を有するレンズ組立体を具備するということが行なわれている。
【０００４】
図６は、従来のレンズ組立体の、撮影レンズの光軸を含む断面を示す図である。
【０００５】
図６には、被写体光Ａが入射される側から順に、レンズ組立体１００を構成する第１群の撮影レンズ１０１＿１と、第２群の撮影レンズ１０１＿２と、第３群の撮影レンズ１０１＿３と、第４群の撮影レンズ１０１＿４とが示されている。また、この図６には、これら撮影レンズ１０１＿１，１０１＿２，１０１＿３，１０１＿４を収容するレンズ枠１０２と、撮影レンズ１０１＿１とレンズ枠１０２との間に配置されたＯリング１０３が示されている。このＯリング１０３は、撮影レンズ１０１＿１がレンズ枠１０２に収容された後で防水性能を発揮するゴム状の部材である。尚、Ｏリング１０３の材質は、エチレン・プロピレン系ゴム、シリコンゴム等である。
【０００６】
また、特許文献１には、撮影レンズの外周面とレンズ枠の内壁面との間に配置されたＯリングを押圧した状態で、レンズ枠の先端の突起を熱溶着により撮影レンズの前面側にかしめる技術が提案されている。
【特許文献１】特開２００２−９０６０３号公報
【発明の開示】
【発明が解決しようとする課題】
【０００７】
従来のレンズ組立体では、撮影レンズとレンズ枠とでＯリングを押圧することにより、防水性を確保している。ここで、Ｏリングには、ゴム状の部材が用いられる。このため、Ｏリングの表面は滑らかな状態にある。車載用や監視用の広角撮影レンズでは、耐候性のために最も対物側のレンズにガラスレンズが用いられることが一般的である。ガラスレンズを光軸出しのために外周面を研磨加工した場合等、一般に、外周面は光学機能面に比べてざらついた状態となる。このため、撮影レンズの、Ｏリングが配置される外周面は、ざらついた状態にある。このように、ざらついた状態にある外周面でＯリングを押圧したのでは、外周面とＯリングとを十分に密着させることは困難であり、従って撮影レンズとＯリングとの間における防水性を十分に確保することは困難である。
【０００８】
本発明は、上記事情に鑑み、防水性能が高められたレンズ組立体および撮像装置を提供することを目的とする。
【課題を解決するための手段】
【０００９】
上記目的を達成する本発明のレンズ組立体は、
対物側の第１の外周面とその第１の外周面との間に壁面を介在させてその第１の外周面よりも一段小径に形成された結像側の第２の外周面とを有するレンズと、
上記レンズの上記第２の外周面に配置されたＯリングと、
上記第１の外周面に接するとともに、上記第２の外周面に配置されたＯリングをその第２の外周面側に押圧する内壁面を有するレンズ枠とを備え、
上記レンズは、上記第２の外周面が、上記第１の外周面または上記壁面よりも平滑化されてなることを特徴とする。
【００１０】
本発明のレンズ組立体は、レンズの、Ｏリングが配置された第２の外周面が、平滑化されてなるものであるため、第２の外周面とＯリングは十分に密着された状態にある。従って、第２の外周面とＯリングとの間における防水性が十分に確保されることとなり、防水性能が高められたレンズ組立体を提供することができる。
【００１１】
ここで、上記第２の外周面は、平滑加工されたものであることが好ましい。また、上記第２の外周面は、塗料の塗布により平滑化されたものであることも好ましい態様である。
【００１２】
このようにすると、第２の外周面を簡単に平滑化することができる。
【００１３】
さらに、上記レンズ枠が、そのレンズ枠内壁面の、上記第１の外周面および上記Ｏリングと接する部分に、潤滑塗料が塗布されてなるものであることも好ましい。
【００１４】
このようにすると、レンズ枠内壁面の、潤滑塗料により滑らかな状態にあるＯリングと接する部分で、やはり表面が滑らかな状態にあるＯリングを押圧することができる。このため、レンズ枠とＯリングとを十分に密着させることができ、従ってレンズ枠とＯリングとの間における防水性を更に十分に確保することができる。また、組立工程において、レンズ枠内壁面に塗布されてなる潤滑塗料により、Ｏリングがねじれてしまうという事態や、レンズ枠とレンズとの間にＯリングが挟まれてしまう事態を防止することができるとともに、そのＯリングが嵌装されたレンズをレンズ枠にスムーズに収容することができる。従って、組立作業を効率よく行なうことができる。
【００１５】
また、上記目的を達成する本発明の撮像装置は、上記レンズ組立体と、撮像装置とを備えたことを特徴とする。
【００１６】
本発明の撮像装置は、上記レンズ組立体を備えたものであるため、防水性能が高められている。
【発明の効果】
【００１７】
本発明によれば、防水性能が高められたレンズ組立体および撮像装置を提供することができる。
【発明を実施するための最良の形態】
【００１８】
以下、図面を参照して本発明の実施の形態を説明する。
【００１９】
図１は、本発明の第１実施形態のレンズ組立体の、撮影レンズの光軸を含む断面を示す図、図２は、図１に示すレンズ組立体の、Ｏリングが配置された部分を拡大して示す断面図である。
【００２０】
図１に示す第１実施形態のレンズ組立体１０には、被写体光Ａが入射する側から順に、第１群の撮影レンズ１１＿１と、第２群の撮影レンズ１１＿２と、第３群の撮影レンズ１１＿３と、第４群の撮影レンズ１１＿４とが備えられている。また、図１および図２に示すように、撮影レンズ１１＿１は、対物側の第１の外周面１１＿１ａと、この第１の外周面１１＿１ａよりも一段小径に形成された結像側の第２の外周面１１＿１ｂと、これら第１，第２の外周面１１＿１ａ，１１＿１ｂの間に介在する壁面１１＿ｃとを有する。ここで、第２の外周面１１＿１ｂは、第１の外周面１１＿１ａおよび壁面１１＿ｃよりも平滑化されている。詳細には、第２の外周面１１＿１ｂは、例えば、粒状性のよい砥石で研磨することにより平滑加工されてなるものである。
【００２１】
また、このレンズ組立体１０には、第２の外周面１１＿１ｂに配置されたＯリング１２が備えられている。このＯリング１２には、ゴム状の部材が用いられている。このため、Ｏリング１２の表面は滑らかな状態にある。尚、Ｏリング１３の材質は、エチレン・プロピレン系ゴム、シリコンゴム等である。
【００２２】
さらに、レンズ組立体１０には、撮影レンズ１１＿１，１１＿２，１１＿３，１１＿４を収容するレンズ枠１３が備えられている。このレンズ枠１３は、第１の外周面１１＿１ａに接するとともに、第２の外周面１１＿１ｂに配置されたＯリング１２を第２の外周面１１＿１ｂ側に押圧する内壁面１３ａを有する。尚、このレンズ枠１３は樹脂で形成されており、このため内壁面１３ａの表面も滑らかな状態にある。また、撮影レンズ１１＿１をレンズ枠１３に収容した後で、レンズ枠１３の前端を熱カシメによって、折り曲げ、撮影レンズ１１＿１を保持する。
【００２３】
第１実施形態のレンズ組立体１０では、撮影レンズ１１＿１の第２の外周面１１＿１ｂとレンズ枠１３の内壁面１３ａとでＯリング１２を矢印Ｐ，Ｐ’方向に押圧することにより、防水性が確保される。ここで、Ｏリング１２には、ゴム状の部材が用いられているため、Ｏリング１２の表面は滑らかな状態にある。一方、撮影レンズ１１＿１には、ガラスが用いられているものの、上述したように、撮影レンズ１１＿１の第２の外周面１１＿１ｂは、平滑加工されているため、第２の外周面１１＿１ｂも滑らかな状態にある。このように、滑らかな状態にある第２の外周面１１＿１ｂで、やはり表面が滑らかな状態にあるＯリング１２が押圧される。このため、第２の外周面１１＿１ｂとＯリング１２は十分に密着された状態にあり、第２の外周面１１＿１ｂとＯリング１２との間における防水性は十分に確保されている。また、上述したように、レンズ枠１３は樹脂で形成されており、このためレンズ枠１３の内壁面１３ａも滑らかな状態にある。このため、レンズ枠１３の内壁面１３ａとＯリング１２も十分に密着された状態にあり、レンズ枠１３の内壁面１３ａとＯリング１２との間における防水性も十分に確保されている。従って、防水性能が高められたレンズ組立体１０が提供される。
【００２４】
図３は、本発明の第２実施形態のレンズ組立体の、Ｏリングが配置された部分を拡大して示す断面図である。
【００２５】
尚、図１，図２に示すレンズ組立体１０の構成要素と同じ構成要素については同一の符号を付し、異なる点について説明する。
【００２６】
図３に示すレンズ組立体２０は、図１，図２に示すレンズ組立体１０と比較し、第２の外周面１１＿１ｂが、以下に説明する第２の外周面１１＿１ｄに置き換えられている点が異なっている。
【００２７】
図３に示す第２の外周面１１＿１ｄは、塗料の塗布により平滑化されている。塗料としては、エポキシ，ウレタン，シリコーン，アクリル，メラミン，ビニル，アミノ，アルキド，ポリエステル，フッ素，エナメルのうち、少なくとも１種類を含有する塗料を好適に用いることができる。
【００２８】
第２実施形態のレンズ組立体２０では、このような塗料の塗布により、第２の外周面１１＿１ｄが平滑化されている。このため、第２の外周面１１＿１ｄとＯリング１２は十分に密着された状態にあり、第２の外周面１１＿１ｄとＯリング１２との間における防水性は十分に確保されている。従って、防水性能が高められたレンズ組立体２０が提供される。
【００２９】
図４は、本発明の第３実施形態のレンズ組立体の、Ｏリングが配置された部分を拡大して示す断面図である。
【００３０】
尚、図１，図２に示すレンズ組立体１０の構成要素と同じ構成要素については同一の符号を付し、異なる点について説明する。
【００３１】
図４に示すレンズ組立体３０は、図１，図２に示すレンズ組立体１０と比較し、レンズ枠１３の内壁面１３ａが、以下に説明する内壁面１３ｂに置き換えられている点が異なっている。
【００３２】
図４に示すレンズ枠１３の内壁面１３ｂの、第１の外周面１１＿１ａおよびＯリング１２と接する部分には、潤滑塗料が塗布されている。このため、レンズ枠１３の内壁面１３ｂの、Ｏリング１２と接する部分は、潤滑塗料により滑らかな状態にある。このように、レンズ枠１３の内壁面１３ｂの、滑らかな状態にある部分で、やはり表面が滑らかな状態にあるＯリング１２が押圧されている。このため、レンズ枠１３とＯリング１２とは十分に密着した状態にある。従って、第２の外周面１１＿１ｂとＯリング１２との間における防水性が十分に確保されているとともに、レンズ枠１３とＯリング１２との間における防水性が更に十分に確保されている。また、組立工程において、レンズ枠１３の内壁面１３ｂに塗布されてなる潤滑塗料により、Ｏリング１２がねじれてしまうという事態や、レンズ枠１３と撮影レンズ１１＿１との間にＯリング１２が挟まれてしまう事態を防止することができるとともに、Ｏリング１２が嵌装された撮影レンズ１１＿１をレンズ枠１３にスムーズに収容することができる。従って、組立作業を効率よく行なうことができる。
【００３３】
図５は、図１に示すレンズ組立体を備えたカメラユニットの、撮影レンズの光軸を含む断面を示す図である。
【００３４】
図５に示すカメラユニット４０は、本発明の撮像装置の一実施形態であり、このカメラユニット４０には、図１に示すレンズ組立体１０と、カメラ本体枠４１と、撮像素子４２と、基板４３とが備えられている。
【００３５】
このカメラユニット４０を組み立てるには、ＣＣＤ等の撮像素子４２を搭載した基板４３をカメラ本体枠４１の背面に接着固定する。また、カメラ本体枠４１にレンズ組立体１０を挿入し、そのレンズ組立体１０をカメラ本体枠４１に接着固定する。さらに、レンズ枠１３の外周縁とカメラ本体枠４１の前端が接する部分に接着剤を塗布することによって、前端側からカメラユニット４０内部に水が入り込まないように、防水処理を施す。このようにして、カメラユニット４０を組み立てる。このため、カメラユニット４０の防水性が高められている。
【図面の簡単な説明】
【００３６】
【図１】本発明の第１実施形態のレンズ組立体の、撮影レンズの光軸を含む断面を示す図である。
【図２】図１に示すレンズ組立体の、Ｏリングが配置された部分を拡大して示す断面図である。
【図３】本発明の第２実施形態のレンズ組立体の、Ｏリングが配置された部分を拡大して示す断面図である。
【図４】本発明の第３実施形態のレンズ組立体の、Ｏリングが配置された部分を拡大して示す断面図である。
【図５】図１に示すレンズ組立体を備えたカメラユニットの、撮影レンズの光軸を含む断面を示す図である。
【図６】従来のレンズ組立体の、撮影レンズの光軸を含む断面を示す図である。
【符号の説明】
【００３７】
１０，２０，３０  レンズ組立体
１１＿１，１１＿２，１１＿３，１１＿４  撮影レンズ
１１＿１ａ  第１の外周面
１１＿１ｂ，１１＿１ｄ  第２の外周面
１１＿ｃ  壁面
１２  Ｏリング
１３  レンズ枠
１３ａ，１３ｂ  内壁面
４０  カメラユニット
４１  カメラ本体枠
４２  撮像素子
４３  基板
【図１】
2009244385.tif 000003
【図２】
2009244385.tif 000004
【図３】
2009244385.tif 000005
【図４】
2009244385.tif 000006
【図５】
2009244385.tif 000007
【図６】
2009244385.tif 000008